(57)【特許請求の範囲】
【請求項１】
前後方向に長尺な本体と、本体に対して前後方向に移動可能に設けられた移動体と、移動体に設けられて被切断物の上に載置される軸座体と、本体の前側に設けられて被切断物を切断し得る刃体と、移動体に対して軸座体を縦軸廻りに旋回可能且つ前後方向のみに傾倒可能に支持する旋回傾倒手段と、から構成した事を特徴とする円切りカッタ。
【請求項２】
刃体は、円板状を呈して前後方向軸廻りに回転可能に設けられている請求項１に記載の円切りカッタ。
【請求項３】
旋回傾倒手段は、移動体に形成されて軸座体を縦軸廻りに旋回可能且つ前後方向のみに傾倒可能に支持する受孔と、移動体に形成されて軸座体の傾倒を許容する上下の円弧面と、軸座体に形成されて移動体の円弧面に当合して抜け止めを行う上下の抜止面とを備えている請求項１又は２に記載の円切りカッタ。
【請求項４】
移動体と軸座体との間には、軸座体を常時後傾すべく付勢する弾性体が設けられている請求項１〜３の何れかに記載の円切りカッタ。
【請求項５】
弾性体は、板バネ状を呈して移動体に一体に形成されている請求項４に記載の円切りカッタ。
【発明の詳細な説明】
【技術分野】
【０００１】
本発明は、例えば紙や合成樹脂シートや被服地等の被切断物の一部を円状に切断する際に用いられる円切りカッタの改良に関する。
【背景技術】
【０００２】
従来、この種の円切りカッタとしては、針状芯体を用いてこれを被切断物に突き刺して中心とする有針型のものと、比較的面積の広い座板を備えた芯体を用いてこれを被切断物に押し当てて中心とする無針型のものとが知られている。
【０００３】
【特許文献１】実開昭５２−１３６２８９号公報
【発明の開示】
【発明が解決しようとする課題】
【０００４】
ところが、有針型のものは、中心を定確化できるものの、被切断物に針痕が付き、円部分以外が必要な場合は良いが、円部分自体が必要な場合には針痕が残るので問題であった。
他方、無針型のものは、有針型とは逆に、被切断物に針痕が付かないものの、中心を定確化し難かった。
とりわけ、特許文献１に記載されたものは、芯体に対して座板がボールジョイントに依り全周囲に於て搖動可能に連結されていたので、芯体の押圧力が座板に適確に伝達されず、被切断物に対して座板が滑り易く、芯ずれを起こし易かった。
加えて、刃体が被切断物に対して自由な角度を採り得るので、切り抜いた円の最後が合致せずに真円に切断できない惧れがあった。
而して、円切りに際しては、途中で一方の手を持ち替えねばならないので、前述の事が起こり易く、これを防ぐ為には、芯体及び刃体を堅固に保持すると共に、この状態を最後まで維持せねばならないので、切断作業が容易に行なえなかった。
【０００５】
本発明は、叙上の問題点に鑑み、これを解消する為に創案されたもので、その課題とする処は、切断作業が容易に行なえると共に、それでいて芯ずれが防止されて真円に切断できる円切りカッタを提供するにある。
【課題を解決するための手段】
【０００６】
本発明の円切りカッタは、基本的には、前後方向に長尺な本体と、本体に対して前後方向に移動可能に設けられた移動体と、移動体に設けられて被切断物の上に載置される軸座体と、本体の前側に設けられて被切断物を切断し得る刃体と、移動体に対して軸座体を縦軸廻りに旋回可能且つ前後方向のみに傾倒可能に支持する旋回傾倒手段と、から構成した事に特徴が存する。
【０００７】
本体に対して移動体を移動させると、軸座体から刃体までの距離が変化し、これに依り切り抜く円の半径を可変する事ができる。
円の半径を決定したならば、被切断物の上に軸座体を載置して一方の手に依り軸座体を押圧すると共に、他方の手に依り本体の前側を保持して刃体を被切断物に接触させる。
この様な状態で、軸座体を中心として本体及び刃体を旋回させると、刃体に依り被切断物の一部を円状に切断する事ができる。この時、本体の前側を保持している手を途中で持ち替えて切断する。
切断に際しては、軸座体が旋回傾倒手段に依り移動体に対して旋回可能且つ前後方向のみに傾倒可能に設けられているので、本体及び刃体は、軸座体に対して旋回可能且つ本体の長手方向のみに傾倒可能になり、丁度シーソの如く、旋回傾倒手段の水平軸を中心に搖動（上下動）しながら、旋回傾倒手段の垂直軸（軸座体）を中心に旋回される。
【０００８】
刃体は、円板状を呈して前後方向軸廻りに回転可能に設けられているのが好ましい。この様にすれば、被切断物が例えば被服地等の様に柔軟なものであっても、適正且つ綺麗に切断する事ができる。
【０００９】
旋回傾倒手段は、移動体に形成されて軸座体を縦軸廻りに旋回可能且つ前後方向のみに傾倒可能に支持する受孔と、移動体に形成されて軸座体の傾倒を許容する上下の円弧面と、軸座体に形成されて移動体の円弧面に当合して抜け止めを行う上下の抜止面とを備えているのが好ましい。この様にすれば、構造が簡単化されてコストの低減を図る事ができる。
【００１０】
移動体と軸座体との間には、軸座体を常時後傾すべく付勢する弾性体が設けられているのが好ましい。この様にすれば、軸座体に対して本体が常に俯伏して刃体が被切断物に接触するので、刃体を軽く押えるだけで被切断物を切断する事ができる。
【００１１】
弾性体は、板バネ状を呈して移動体に一体に形成されているのが好ましい。この様にすれば、移動体と一緒に弾性体を形成できるので、構造が簡単化されてコストの低減を図る事ができる。
【発明の効果】
【００１２】
本発明に依れば、次の様な優れた効果を奏する事ができる。
（１）本体、移動体、軸座体、刃体と、旋回傾倒手段とで構成し、とりわけ移動体に対して軸座体を縦軸廻りに旋回可能且つ前後方向のみに傾倒可能に支持する旋回傾倒手段を設けたので、切断作業が容易に行なえると共に、それでいて芯ずれが防止されて真円に切断できる。
（２）旋回傾倒手段を設けるだけであるので、コストが余り掛からず、既存のものへも容易に適用できる。
【発明を実施するための最良の形態】
【００１３】
以下、本発明の実施の形態を、図面に基づいて説明する。
図１は、本発明の円切りカッタを示す側面図。図２は、図１の平面図。図３は、図１の底面図。図４は、図１の拡大正面図。図５は、図１の拡大背面図。図６は、図１の縦断側面図。図７は、図１の拡大縦断背面図。図８は、移動体のみを拡大して示す縦断側面図。図９は、図８の縦断背面図。図１０は、図８の平面図。図１１は、図８の底面図である。
【００１４】
円切りカッタ１は、本体２、移動体３、軸座体４、刃体５、旋回傾倒手段６とからその主要部が構成されている。
【００１５】
本体２は、前後方向に長尺なもので、この例では、水平な板状を呈し、前側（図１に於て左側）には、刃体５を取付ける為の取付部７が垂設されていると共に、これから後側に亘っては、上下方向に貫通して前後方向に長尺な案内溝８が穿設されている。案内溝８は、上が小さく下が大きい段付き状を呈している。
而して、本体２の前側には、平面略Ｏ型を呈するアーム９が前方に向けて突設されていると共に、アーム９の前側には、円板状を呈する把持体１０が縦軸廻りに旋回（回転）可能に設けられている。
【００１６】
移動体３は、本体２に対して前後方向（本体２の長手方向）に移動可能に設けられたもので、この例では、ボルト体１１とナット体１２とを備えている。
ボルト体１１は、本体２の案内溝８に下から挿入されて本体２の下面及び案内溝８に掛合される段付き鍔部と、これの上側に連設されて外周には雄螺子が形成された螺子部とを備えている。
ナット体１２は、ボルト体１１の螺子部に螺合される雌螺子を備えている。
【００１７】
軸座体４は、移動体３に設けられて被切断物Ａの上に載置されるもので、この例では、円板状を呈する押圧体１３と、これに植設されて下半には雄螺子が形成されていると共に下部には錐部が形成された針状体１４と、針状体１４の上半に挿通されてその雄螺子に螺合される雌螺子と下端に形成される鍔部とを備えた筒体１５と、筒部とこれの下に形成される座板とこれらの内部に形成されて針状体１４の雄螺子に螺合する雌螺子とを備えた座体１６と、から構成されている。
而して、軸座体４は、通常時には、座体１６に依り無針型として用いると共に、座体１６を取外した時には、針状体１４に依り有針型として用いる事ができる様になっている。
【００１８】
刃体５は、本体２の前側に設けられて被切断物Ａを切断し得るもので、この例では、回転刃にしてあり、円板状を呈して回転支持手段１７に依り前後方向軸廻りに回転可能に設けられている。
回転支持手段１７は、本体２の取付部７に設けられたベアリング１８と、これを本体２に固定する為の固定具１９と、ベアリング１８に前後方向軸廻りに回転可能に支持される支軸ボルト２０と、これに嵌着されてベアリング１８からの抜け止めを行なう為のＣ型リング２１と、支軸ボルト２０に螺合されたナット２２とを備えている。
刃体５は、円板状を呈して外周には切断刃が形成されていると共に、中心には、六角状の貫孔が穿設されている。
而して、刃体５は、その貫孔が支軸ボルト２０に挿入されてナット２２に依りＣ型リング２１との間で締付け固定され、支軸ボルト２０とナット２２とＣ型リング２１と一緒になってベアリング１８に対して回転可能に支持される。
【００１９】
旋回傾倒手段６は、移動体３に対して軸座体４を縦軸廻りに旋回可能且つ前後方向のみに傾倒可能に支持するもので、この例では、移動体３に形成されて軸座体４を縦軸廻りに旋回可能且つ前後方向のみに傾倒可能に支持する受孔２３と、移動体３に形成されて軸座体４の傾倒を許容する上下の円弧面２４と、軸座体４に形成されて移動体３の円弧面２４に当合して抜け止めを行う上下の抜止面２５とを備えている。
上側の抜止面２５は、押圧体１３の下面に形成されていると共に、下側の抜止面２５は、筒体１５の鍔部の上面に形成されている。
【００２０】
移動体３と軸座体４との間には、本体２に対して軸座体４を常時後傾すべく付勢する弾性体２６が設けられている。
弾性体２６は、板バネ状を呈して移動体３に一体に形成されている。具体的には、移動体３の受孔２３内の前側に直立状に位置して下端が移動体３に連結され、上端が前後方向に弾性傾倒できる様になっている。
【００２１】
移動体３には、図１に示す如く、基印２７が設けられていると共に、本体２には、図略しているが、目盛線が設けられて居り、これらに依り軸座体４の中心から刃体５までの所謂切り抜くべき円の半径を表示する様になっている。
【００２２】
次に、この様な構成に基づいてその作用を述解する。
移動体３のボルト体１１に対してナット体１２を螺緩させると共に、移動体３を本体２の案内溝８に沿って移動させた後、移動体３のボルト体１１に対してナット体１２を螺締させて固定すると、軸座体４から刃体５までの距離が変化し、これに依り切り抜く円の半径を可変する事ができる。この時、移動体３の基印２７と本体２の目盛線（図示せず）を利用して半径を決定する。
円の半径を決定したならば、被切断物Ａの上に軸座体４の座体１６を載置して一方の手に依り軸座体４の押圧体１３を押圧すると共に、他方の手に依り本体２の把持体１０を保持して刃体５を被切断物Ａに接触させる。
この様な状態で、軸座体４を中心として本体２及び刃体５を旋回させると、刃体２に依り被切断物Ａの一部を円状に切断する事ができる。この時、本体２の把持体１０を保持している手を途中で持ち替えて切断する。
切断に際しては、軸座体４が旋回傾倒手段６に依り移動体３に対して旋回可能且つ前後方向のみに傾倒可能に設けられているので、本体２及び刃体５は、軸座体４に対して旋回可能且つ本体２の長手方向のみに傾倒可能になり、丁度シーソの如く、旋回傾倒手段６の水平軸を中心に搖動（上下動）しながら、旋回傾倒手段６の垂直軸（軸座体）を中心に旋回される。
【００２３】
本体２の前側には、刃体５より前方にアーム９を介して把持体１０が設けられているので、所謂梃子の原理に依り小さな力で刃体５を被切断物Ａに接触させる事ができると共に、旋回する事ができる。この為、円切り作業を容易に行う事ができる。
【００２４】
刃体５は、円板状を呈して前後方向軸廻りに回転可能に設けられているので、被切断物Ａが例えば被服地等の様に柔軟なものであっても、適正且つ綺麗に切断する事ができる。
【００２５】
移動体３と軸座体４との間には、軸座体４を常時後傾すべく付勢する弾性体２６が設けられているので、軸座体４に対して本体２が常に俯伏して刃体５が被切断物Ａに接触する。この為、刃体５を軽く押えるだけで被切断物Ａを切断する事ができる。
【００２６】
尚、本体２は、先の例では、アーム９を介して把持体１０を設けたが、これに限らず、例えばアーム９を割愛して把持体１０を本体２の前部に直接設けても良い。
軸座体４は、先の例では、針状体１４を備えていたが、これに限らず、例えばこれを割愛しても良い。
刃体５は、先の例では、回転刃であったが、これに限らず、例えば特許文献１の如く、固定刃であっても良い。
旋回傾倒手段６は、先の例では、受孔２３と円弧面２４と抜止面２５とで構成したが、これに限らず、例えば軸座体４を旋回可能且つ全周方向へ傾倒可能に支持する球面継手と、軸座体４を前後方向のみに傾倒可能にする長穴等の案内部とを組合わせたものでも良い。
【図面の簡単な説明】
【００２７】
【図１】本発明の円切りカッタを示す側面図。
【図２】図１の平面図。
【図３】図１の底面図。
【図４】図１の拡大正面図。
【図５】図１の拡大背面図。
【図６】図１の拡大縦断側面図。
【図７】図１の拡大縦断背面図。
【図８】移動体のみを拡大して示す縦断側面図。
【図９】図８の縦断背面図。
【図１０】図８の平面図。
【図１１】図８の底面図。
【符号の説明】
【００２８】
１…円切りカッタ、２…本体、３…移動体、４…軸座体、５…刃体、６…旋回傾倒手段、７…取付部、８…案内溝、９…アーム、１０…把持体、１１…ボルト体、１２…ナット体、１３…押圧体、１４…針状体、１５…筒体、１６…座体、１７…回転支持手段、１８…ベアリング、１９…固定具、２０…支軸ボルト、２１…Ｃ型リング、２２…ナット、２３…受孔、２４…円弧面、２５…抜止面、２６…弾性体、２７…基印、Ａ…被切断物。
【図１】
0004950931.tif 000002
【図２】
0004950931.tif 000003
【図３】
0004950931.tif 000004
【図４】
0004950931.tif 000005
【図５】
0004950931.tif 000006
【図６】
0004950931.tif 000007
【図７】
0004950931.tif 000008
【図８】
0004950931.tif 000009
【図９】
0004950931.tif 000010
【図１０】
0004950931.tif 000011
【図１１】
0004950931.tif 000012